(57)【要約】      （修正有）【課題】頭髪のダメージを減少させ、時間を節約することが可能なストレートドライヤーを提供する。【解決手段】電源コード１、制御回路基板、上側筐体３、下側筐体４、発熱プレートおよびヘッド部を備える。上側筐体および下側筐体は合わさり、第一チャンバーを構成する。下側筐体は一端に固定孔を有する。制御回路基板、発熱プレートおよびヘッド部は第一チャンバー内に格納される。ヘッド部は背面に配置された導熱プレートと、正面に配置された複数の櫛歯状導熱部とを有する。発熱プレートは導熱プレートに固定される。櫛歯状導熱部は自由端が固定孔に突出し、かつ自由端に配置された熱遮断部を有する。上側筐体は押しボタン１１を有する。押しボタン、発熱プレートおよび電源コードは制御回路基板に電気的に接続される。ストレートドライヤーは櫛歯状導熱部によって頭髪に接触しながら、頭髪を多方位からストレートに梳かす。櫛歯状導熱部は複数列に分割される。【選択図】図１
0003203469.tif 000002
【実用新案登録請求の範囲】
【請求項１】
上側筐体、下側筐体、制御回路基板、発熱プレート、ヘッド部および電源コードを備え、
前記上側筐体および前記下側筐体は合わさり、第一チャンバーを構成し、前記下側筐体は一端に固定孔を有し、前記上側筐体は押しボタンを有し、
前記制御回路基板は、前記第一チャンバー内に格納され、
前記発熱プレートは、前記第一チャンバー内に格納され、
前記ヘッド部は、前記第一チャンバー内に格納され、背面に配置された導熱プレートと、正面に配置された複数の櫛歯状導熱部とを有し、前記発熱プレートは前記導熱プレートに固定され、前記櫛歯状導熱部は自由端が前記固定孔に突出し、かつ前記自由端に配置された熱遮断部を有し、
前記押しボタン、前記発熱プレートおよび前記電源コードは、前記制御回路基板に電気的に接続されることを特徴とする、
ストレートドライヤー。
【請求項２】
前記ヘッド部は、さらに前記正面の周縁部に均等に配置された複数の櫛歯状熱傷防止部を有し、前記櫛歯状熱傷防止部と前記櫛歯状導熱部とは伸びる方向が一致することを特徴とする請求項１に記載のストレートドライヤー。
【請求項３】
前記ストレートドライヤーは、さらに発熱プレートカバーを備え、前記発熱プレートカバーは前記第一チャンバー内に格納され、前記ヘッド部の背面に固定され、前記発熱プレートは前記発熱プレートカバーと前記ヘッド部との間に配置されることを特徴とする請求項１に記載のストレートドライヤー。
【請求項４】
前記ストレートドライヤーは、さらに熱遮断カバーを備え、前記熱遮断カバーは前記第一チャンバー内に格納され、前記熱遮断カバーと前記ヘッド部とは合わさり、第二チャンバーを構成し、前記導熱プレート、前記発熱プレートおよび前記発熱プレートカバーは前記第二チャンバー内に格納されることを特徴とする請求項３に記載のストレートドライヤー。
【請求項５】
前記上側筐体は、周縁部に装飾用フレームを有し、前記押しボタンは前記装飾用フレームに固定されることを特徴とする請求項１に記載のストレートドライヤー。
【請求項６】
前記ストレートドライヤーは、さらに温度表示器を備え、前記導熱プレートは温度プローブを有し、前記上側筐体は表面に凹状溝を有し、前記温度表示器は前記凹状溝内に固定され、前記温度表示器および前記温度プローブは前記制御回路基板に電気的に接続されることを特徴とする請求項１に記載のストレートドライヤー。
【請求項７】
前記下側筐体は、前記固定孔から離れる一端がグリップとなり、前記ヘッド部は前記下側筐体の前記グリップに近い一端に熱傷防止フィルムを有することを特徴とする請求項１に記載のストレートドライヤー。
【請求項８】
前記ヘッド部と前記固定孔は楕円形であり、前記熱遮断部はシリコーン樹脂製熱遮断部であることを特徴とする請求項１に記載のストレートドライヤー。
【請求項９】
前記櫛歯状導熱部は、複数列の第一櫛歯状導熱部および複数列の第二櫛歯状導熱部を有し、前記固定孔に突出した複数列の前記第二櫛歯状導熱部の長さは前記固定孔に突出した複数列の前記第一櫛歯状導熱部の長さより小さく、前記第二櫛歯状導熱部は任意の二つの隣り合う前記第一櫛歯状導熱部の間に配置されることを特徴とする請求項１に記載のストレートドライヤー。
【請求項１０】
前記ヘッド部の前記正面は、中央が背面から離れ、表面に突出した円弧状面であることを特徴とする請求項１に記載のストレートドライヤー。
【考案の詳細な説明】
【技術分野】
【０００１】
本考案は、ヘアーケア器具、特にストレートドライヤーに関するものである。
【背景技術】
【０００２】
社会が発展し、生活レベルが高まっていくとともに美に対する意識が高くなる。例えば髪型を整え、頭髪をストレートにする際、ドライヤーの熱風で頭髪を温めてストレートに梳かす方法と、従来の発熱機能付きヘアブラシで頭髪をストレートに梳かす方法とがある。しかしながら、これらの方法によるストレート効果はあまりよくない。一方、近年頭髪をストレートにする際に最も使用される器具はストレートドライヤーである。ストレートドライヤーは二つの金属製発熱プレートに頭髪を挟み込みながら、下へ引っ張るものである。熱を受けた頭髪が冷却すれば髪型が安定するため、ストレートドライヤーによるストレート効果が比較的好ましい。
しかしながら、従来のストレートドライヤーは個人で使用することが難しい。特に後頭部の頭髪を整理する場合、頭髪を真っすぐに引っ張り、見えない部分の頭髪を万遍なく整理することが困難であるため、ストレート効果が一致しない。また従来のストレートドライヤーでロングヘアーをストレートにする場合、二時間から四時間もかかることが普通であるため、時間がかなり無駄になる。
また、従来のストレートドライヤーは二つの金属製発熱プレートに頭髪を強く挟み込み、引っ張ることによってストレート効果を与えるが、その一方で頭髪の表面のキューティクルにダメージを与えてしまう。詳しく言えば、頭髪を強く引っ張る際、二つの金属製発熱プレートに挟み込まれた一束の頭髪は金属プレートに均等に付着しないため、厚いところの頭髪は引っ張られ、ストレートになるが、薄いところの頭髪は引っ張られず、ストレートにならない。つまり、一束の頭髪は完全にストレートになるまで何回も引っ張られなければならない。また、頭髪の表面は何回も摩擦にさらされることが原因でダメージを受け、乾燥して艶がなくなる。また、二つの金属製発熱プレートは外部に露出するため、ユーザーに熱傷をさせてしまうことがよくある。
【考案の概要】
【考案が解決しようとする課題】
【０００３】
本考案は、頭髪のダメージを減少させ、時間を節約することが可能なストレートドライヤーを提供することを主な目的とする。
【課題を解決するための手段】
【０００４】
上述した課題を解決するための本考案のストレートドライヤーは、電源コード、制御回路基板、上側筐体、下側筐体、発熱プレートおよびヘッド部を備える。上側筐体および下側筐体は合わさり、第一チャンバーを構成する。下側筐体は一端に固定孔を有する。上側筐体は押しボタンを有する。制御回路基板は第一チャンバー内に格納される。発熱プレートは第一チャンバー内に格納される。ヘッド部は第一チャンバー内に格納される。ヘッド部は背面に配置された導熱プレートと、正面に配置された複数の櫛歯状導熱部とを有する。発熱プレートは導熱プレートに固定される。櫛歯状導熱部は自由端が固定孔に突出し、かつ自由端に配置された熱遮断部を有する。押しボタン、発熱プレートおよび電源コードは制御回路基板に電気的に接続される。
【０００５】
比較的好ましい場合、ヘッド部は正面の周縁部に均等に配置された複数の櫛歯状熱傷防止部を有する。櫛歯状熱傷防止部と櫛歯状導熱部とは伸びる方向が一致する。
【０００６】
比較的好ましい場合、ストレートドライヤーはさらに発熱プレートカバーを備える。発熱プレートカバーは第一チャンバー内に格納され、ヘッド部の背面に固定される。発熱プレートは発熱プレートカバーとヘッド部との間に配置される。
【０００７】
比較的好ましい場合、ストレートドライヤーはさらに熱遮断カバーを備える。熱遮断カバーは第一チャンバー内に格納される。熱遮断カバーとヘッド部とは合わさり、第二チャンバーを構成する。導熱プレート、発熱プレートおよび発熱プレートカバーは第二チャンバー内に格納される。
【０００８】
比較的好ましい場合、上側筐体は周縁部に装飾用フレームを有する。押しボタンは装飾用フレームに固定される。
【０００９】
比較的好ましい場合、ストレートドライヤーはさらに温度表示器を備える。導熱プレートは温度プローブを有する。上側筐体は表面に凹状溝を有する。温度表示器は凹状溝内に固定される。温度表示器および温度プローブは制御回路基板に電気的に接続される。
【００１０】
比較的好ましい場合、下側筐体は固定孔から離れる一端がグリップとなる。ヘッド部は下側筐体のグリップに近い一端に熱傷防止フィルムを有する。
【００１１】
比較的好ましい場合、ヘッド部と固定孔は楕円形を呈する。熱遮断部はシリコーン樹脂から製作される。
【００１２】
比較的好ましい場合、櫛歯状導熱部は複数列の第一櫛歯状導熱部および複数列の第二櫛歯状導熱部を有する。固定孔に突出した第二櫛歯状導熱部の長さは固定孔に突出した第一櫛歯状導熱部の長さより小さい。第二櫛歯状導熱部は任意の二つの隣り合う第一櫛歯状導熱部の間に配置される。
【００１３】
比較的好ましい場合、ヘッド部の正面は中央が背面から離れ、表面に突出した円弧状面である。
【００１４】
先行技術に対し、本考案の効果は次の通りである。
【００１５】
１、本考案によるストレートドライヤーは、櫛歯状導熱部によって頭髪に接触しながら、頭髪を多方位からストレートに梳かすものである。使用の際に複数列の櫛歯状導熱部が頭髪を通り、何回も加熱処理することによってストレート効果を強化し、時間を節約することができる。ユーザーは人の手を借りることなく、自ら操作することができる。
【００１６】
２、櫛歯状導熱部の温度が高い。櫛歯状導熱部の間が頭皮に接触し、怪我をさせることを防止するために、櫛歯状導熱部は自由端にシリコーン樹脂製熱遮断部を有する。シリコーン樹脂製熱遮断部は柔軟性が一定したため、頭部に接触する際、柔らかな快適感を与え、マッサージ作用を生じることによって頭部の血液循環を促進することができる。ヘッド部の周縁部に均等に配置された櫛歯状熱傷防止部は、ヘッド部に全方位の熱傷防止処理を行うため、ストレートドライヤーを使用する際に皮膚に熱傷をさせてしまうことを防止できる。熱傷防止フィルムはヘッド部の上のグリップに近い部位に配置されるため、ストレートドライヤーを持つ手に熱傷をさせてしまうことを防止できる。
【００１７】
３、温度プローブは発熱プレートの温度を正確に即時検知し、制御回路基板によって温度信号を温度表示器に送信するため、ユーザーは温度表示器に即時表示された温度に基づいてその数値に適する操作を選択することができる。
【図面の簡単な説明】
【００１８】
【図１】本考案の第１実施形態によるストレートドライヤーを示す斜視図である。
【図２】本考案の第１実施形態によるストレートドライヤーを示す分解斜視図である。
【図３】本考案の第１実施形態によるストレートドライヤーの一部分を示す拡大斜視図である。
【考案を実施するための形態】
【００１９】
以下、本考案によるストレートドライヤーを図面に基づいて説明する。
【００２０】
（第１実施形態）
図１から図３に示すように、本考案の第１実施形態によるストレートドライヤーは全体構造がヘアブラシに類似し、電源コード１、制御回路基板２、上側筐体３、下側筐体４、発熱プレート５およびヘッド部６を備える。
【００２１】
上側筐体３および下側筐体４は合わさり、第一チャンバー（図中未表示）を構成する。下側筐体４は一端に固定孔７を有する。上側筐体３は押しボタン１１を有する。
【００２２】
制御回路基板２は、第一チャンバー内に格納される。
【００２３】
発熱プレート５は、第一チャンバー内に格納される。
【００２４】
ヘッド部６は、第一チャンバー内に格納され、背面に配置された導熱プレート８と、正面に配置された複数の櫛歯状導熱部９とを有する。発熱プレート５は導熱プレート８に固定される。櫛歯状導熱部９は自由端が固定孔７に突出し、かつ自由端に配置された熱遮断部１０を有する。
【００２５】
押しボタン１１、発熱プレート５および電源コード１は、制御回路基板２に電気的に接続される。
【００２６】
以上は本考案の第１実施形態の構造についての説明である。続いて、本考案の第１実施形態の作動について説明する。
【００２７】
図１から図３に示すように、電源コード１はプラグ（図中未表示）が電源に接続されることによって制御回路基板２に給電する。発熱プレート５は制御回路基板２の制御によって発熱する。導熱プレート８は熱伝導性のよい金属プレートから構成される。発熱プレート５の生じた熱エネルギーは導熱プレート８によって櫛歯状導熱部９に伝わる。櫛歯状導熱部９は金属片である。頭髪は櫛歯状導熱部９によって高温処理され、ストレートになる。
上述した構造により、操作を簡単化できるだけでなく、人の手を借りたり力を入れて引っ張る必要がなく、通常頭髪を梳かす方式で頭髪を整理すればストレートにすることができるため、頭髪を保護する効果がある。櫛歯状導熱部９の自由端に配置された熱遮断部１０は、頭髪を整理する際、櫛歯状導熱部９が直接頭皮に接触し、熱傷をさせてしまうことを防止できる。
【００２８】
図３に示すように、本考案の第１実施形態によるストレートドライヤーにおいて、櫛歯状導熱部９は複数列の第一櫛歯状導熱部（図中未表示）および複数列の第二櫛歯状導熱部を有する。固定孔７に突出した第二櫛歯状導熱部の長さは固定孔７に突出した第一櫛歯状導熱部の長さより小さい。第二櫛歯状導熱部は任意の二つの隣り合う第一櫛歯状導熱部の間に配置される。
【００２９】
図１から図３に示すように、櫛歯状導熱部９は高かったり低かったりするように配置され、作動する際の温度が８０℃から２２０℃の間に達するため、髪型を徹底的に固定できる。頭髪はどちらからでも何回も加熱処理されることができる。
実験データにより、櫛歯状導熱部９が５列に分割されるとストレートにする速度が最も早く、ストレート効率が増大し、効果が最も好ましいことが判明した。また、櫛歯状導熱部９の間隔および配置状態が適宜であるため、頭髪を強く引っ張ることが原因でキューティクルを損傷させてしまうことは発生しないことが判明した。
【００３０】
図２および図３に示すように、本考案の第１実施形態によるストレートドライヤーが直接頭皮に接触する際、櫛歯状導熱部９の自由端に配置された熱遮断部１０が、高温の櫛歯状導熱部９が頭皮に熱傷をさせてしまうことを防止し、頭皮を保護する。熱遮断部１０はプラスチックまたはシリコーン樹脂から製作される。プラスチックはシリコーン樹脂より固く、頭皮に接触すると不快感を与えるため、シリコーン樹脂製熱遮断部のほうが好ましい。
テスト結果により、温度が４０℃から４５℃の間のシリコーン樹脂製熱遮断部は直接皮膚に接触しても熱傷事故を起こさないことが判明した。医学常識により、球状のシリコーン樹脂製熱遮断部は頭皮に接触すると、頭部の血液循環を促進し、経脈を順調にし、マッサージ効果を生じることが判明した。
【００３１】
図２および図３に示すように、本考案の第１実施形態によるストレートドライヤーにおいて、ヘッド部６は正面の周縁部に均等に配置された複数の櫛歯状熱傷防止部１２を有する。櫛歯状熱傷防止部１２と櫛歯状導熱部９とは伸びる方向が一致する。櫛歯状熱傷防止部１２は環状に配列され、櫛歯状導熱部９の保護層となる。
櫛歯状熱傷防止部１２は湾曲しにくい耐高温材料から製作されるため、ユーザーに熱傷をさせてしまうことを防止できる。
【００３２】
図２および図３に示すように、本考案の第１実施形態によるストレートドライヤーは、さらに発熱プレートカバー１３を備える。発熱プレートカバー１３は第一チャンバー内に格納され、ヘッド部６の背面に固定される。発熱プレート５は発熱プレートカバー１３とヘッド部６との間に配置される。
本実施形態において、ストレートドライヤーは発熱プレート５によって熱を生じ、導熱プレート８によって熱エネルギーを櫛歯状導熱部９に伝導させる。良好な熱伝導効果に達するには発熱プレート５を導熱プレート８に接触させることが必要である。発熱プレートカバー１３は発熱プレート５を適宜な位置に固定するために配置され、ねじによってヘッド部６の背面に固定されるため、長期にわたる使用により発熱プレート５を移動させることは発生しない。
【００３３】
図１から図３に示すように、ストレートドライヤーを持つ手が上側筐体３または櫛歯状導熱部９に接触し、熱傷することを防止するために、ストレートドライヤーはさらに熱遮断カバー１４を備える。熱遮断カバー１４は第一チャンバー内に格納される。熱遮断カバー１４とヘッド部６とは合わさり、第二チャンバーを構成する。導熱プレート８、発熱プレート５および発熱プレートカバー１３は第二チャンバー内に格納される。
熱遮断カバー１４は熱遮断効果のよい材料から製作され、発熱プレート５から上側筐体３に伝わる熱エネルギーを低減させる。下側筐体４は固定孔７から離れる一端がグリップ（図中未表示）となる。ヘッド部６は下側筐体４のグリップに近い一端に熱傷防止フィルム１８を有するため、使用の際にユーザーの手が櫛歯状導熱部９に不意に接触し、熱傷することを防止できる。
【００３４】
図１から図３に示すように、ヘッド部６が楕円形であれば、美観および実用性を増すことができる。それに対し、固定孔７は楕円形を呈するように設計されてもよい。これは上述に限らず、実際の状況に応じて別の形になってもよい。
【００３５】
図１から図３に示すように、上側筐体３は周縁部に装飾用フレーム１５を有する。押しボタン１１は装飾用フレーム１５に固定される。装飾用フレーム１５は装飾効果があるだけでなく、上側筐体３と下側筐体４の全体の結合状態および密封性を向上させることができる。
【００３６】
図２および図３に示すように、本考案の第１実施形態によるストレートドライヤーは、さらに温度表示器１６および温度プローブ（図中未表示）を備える。温度プローブは導熱プレート８に固定される。上側筐体３は表面に凹状溝１７を有する。温度表示器１６は凹状溝１７内に固定される。温度表示器１６および温度プローブは制御回路基板２に電気的に接続される。
温度プローブは発熱プレート８の温度を即時検知し、検知した温度信号を制御回路基板２に送信するため、ユーザーは温度表示器１６によってストレートドライヤーの温度を即時確認し、所定の温度を維持したうえで頭髪をストレートにすることできる。一方、温度が所定の数値に達するとストレートドライヤーに対する給電が中止されるため、節電効果がある。
【００３７】
図３に示すように、本考案の第１実施形態によるストレートドライヤーにおいて、ヘッド部６の正面は中央が背面から離れ、表面に突出した円弧状面（図中未表示）である。
【符号の説明】
【００３８】
１    電源コード    
２    制御回路基板    
３    上側筐体    
４    下側筐体    
５    発熱プレート    
６    ヘッド部    
７    固定孔    
８    導熱プレート    
９    櫛歯状導熱部    
１０  熱遮断部    
１１  押しボタン    
１２  櫛歯状熱傷防止部    
１３  発熱プレートカバー    
１４  熱遮断カバー    
１５  装飾用フレーム    
１６  温度表示器    
１７  凹状溝    
１８  熱傷防止フィルム
【図１】
0003203469.tif 000003
【図２】
0003203469.tif 000004
【図３】
0003203469.tif 000005